(57)【要約】【課題】簡便に安否情報を送受信することができて対象メンバーの安否状況を迅速に確認することができる安否確認システムを提供する。【解決手段】カメラ機能および撮影画像を送信可能な通信機能を備えた携帯端末機１と、上記端末と通信可能な通信機能を備えたコンピュータ２と、コンピュータ２に接続されたデータベース３とを備え、データベース３は、予め撮影された対象メンバーの顔画像とその氏名が登録されているとともに、コンピュータ２は、端末機１から送信された上記画像と上記データベース内の顔画像とを画像認識技術によって照合して当該顔画像に対応する上記氏名を抽出する画像照合機能と、抽出した上記氏名と未だ抽出されていない氏名とを区別して表示手段４に表示させる表示機能とを有している。【選択図】図２
2018022203.tif 000002
【特許請求の範囲】
【請求項１】
災害発生時に、予め設定された複数の対象メンバーの安否を確認するための安否確認システムであって、
カメラ機能および当該カメラで撮影した画像を送信可能な通信機能を備えて上記対象メンバーが携帯可能な端末機と、上記端末機と通信可能な通信機能を備えたコンピュータと、上記コンピュータに接続されたデータベースとを備えてなり、
上記データベースは、予め撮影された上記対象メンバーの顔画像とその氏名が登録されているとともに、
上記コンピュータは、上記端末機から送信された上記画像と上記データベース内の顔画像とを画像認識技術によって照合して当該顔画像に対応する上記氏名を抽出する画像照合機能と、抽出した上記氏名と未だ抽出されていない氏名とを区別して表示手段に表示させる表示機能とを有していることを特徴とする安否確認システム。
【請求項２】
上記端末機は、ＧＰＳ機能を有するとともに、
上記通信機能は、上記画像と共に撮影場所の位置情報を上記コンピュータに送信する機能を有していることを特徴とする請求項１に記載の安否確認システム。
【発明の詳細な説明】
【技術分野】
【０００１】
本発明は、災害時に、予め登録された会社等の組織における社員等のメンバーの安否を確認するための安否確認システムに関するものである。
【背景技術】
【０００２】
近年における携帯電話機能の発達により、災害時に上記携帯電話の通信機能を利用して安否確認を行う各種の方法が開発されている。
【０００３】
このような災害時の安否確認のうち、会社等の組織において、外出している複数の社員等（メンバー）の安否を会社内において確認する場合には、例えば図３に示すように、外出先のメンバーが携帯電話を用いて安否を入力したメールを会社へと送信し、社内の担当者が手動で集計する方法が広く採用されている（類似の技術として、例えば下記特許文献１）。
【０００４】
また、他の安否確認方法として、図４に示すように、外出先の社員等が上記携帯電話でインターネットに接続し、上記会社のホームページ上において安否情報を入力して登録することにより、自動集計する方法も採用されている。
【先行技術文献】
【特許文献】
【０００５】
【特許文献１】特開２００７−１８８４４１号公報
【発明の概要】
【発明が解決しようとする課題】
【０００６】
しかしながら、上記従来の安否確認の方法においては、いずれも携帯電話によってアプリケーションを起動した後に、記入箇所の選択、文字の入力、送信ボタンの操作等に数十回の画面に対するタッチ操作が必要になり、災害時の切迫した環境雰囲気下において、当該操作を迅速に行うことは難しいという問題点があった。
【０００７】
本発明は、上記事情に鑑みてなされたものであり、端末機の手入力操作回数を大幅に削減して簡便に安否情報を送受信することができ、よって対象メンバーの安否状況を迅速に確認することができる安否確認システムを提供することを課題とするものである。
【課題を解決するための手段】
【０００８】
上記課題を解決するため、請求項１に記載の発明は、災害発生時に、予め設定された複数の対象メンバーの安否を確認するための安否確認システムであって、カメラ機能および当該カメラで撮影した画像を送信可能な通信機能を備えて上記対象メンバーが携帯可能な端末機と、上記端末機と通信可能な通信機能を備えたコンピュータと、上記コンピュータに接続されたデータベースとを備えてなり、上記データベースは、予め撮影された上記対象メンバーの顔画像とその氏名が登録されているとともに、上記コンピュータは、上記端末機から送信された上記画像と上記データベース内の顔画像とを画像認識技術によって照合して当該顔画像に対応する上記氏名を抽出する画像照合機能と、抽出した上記氏名と未だ抽出されていない氏名とを区別して表示手段に表示させる表示機能とを有していることを特徴とするものである。
【０００９】
また、請求項２に記載の発明は、請求項１に記載の発明において、上記端末機は、ＧＰＳ機能を有するとともに、上記通信機能は、上記画像と共に撮影場所の位置情報を上記コンピュータに送信する機能を有していることを特徴とするものである。
【発明の効果】
【００１０】
請求項１または２に記載の発明においては、災害時に、対象メンバーが端末機によって自分や周囲の対象メンバーを撮影し、通信機能でコンピュータに送信することにより、コンピュータにおいて送信された画像とデータベース内の顔画像とを照合して画像認識により一致する顔画像の氏名を抽出することができる。
【００１１】
この際に、対象メンバーは、煩雑な文字入力等の操作を行う必要が無く、しかも上記コンピュータによって、自動的に、安否確認が行われた対象メンバーと、未だ安否確認が行われていない対象メンバーとを表示手段に区別して表示させることができるために、災害時のような切迫した状況下においても、対象メンバーの安否状況を迅速に確認することができる。
【００１２】
この際に、請求項２に記載の発明によれば、端末機が備えるＧＰＳ機能を利用して、コンピュータに撮影場所の位置情報も送信することにより、より正確な安否情報を得ることが可能になる。
【図面の簡単な説明】
【００１３】
【図１】本発明の一実施形態を示す模式図である。
【図２】上記一実施形態を実施する際のフロー図である。
【図３】従来の安否確認の方法を説明するためのフロー図である。
【図４】従来の他の安否確認の方法を説明するためのフロー図である。
【発明を実施するための形態】
【００１４】
以下、図１および図２に基づいて、本発明に係る安否確認システムを、災害時に特定の会社の社員等の対象メンバーの安否を確認するためのシステムに適用した一実施形態を説明する。
この安否確認システムは、会社から外出する対象メンバーが携帯するスマートフォン等の携帯端末機１と、上記会社内に設置したコンピュータ２とから概略構成されたものである。
【００１５】
ここで、携帯端末機１は、カメラ機能とこのカメラ機能で撮影した画像を送信可能な通信機能とＧＰＳ機能とを備えたものであり、安否確認専用のアプリケーションが格納されている。そして、このアプリケーションは、上記カメラ機能を起動させるとともに、撮影後に画像データおよび撮影位置のＧＰＳデータ等を安否情報として上記コンピュータ２に一括して送信する機能を有している。
【００１６】
他方、上記コンピュータ２は、全体を統括制御するＣＰＵ（主制御部）に入出力制御部を介して、ＲＡＭやハードディスク等の記憶装置、キーボードやマウス等の入力装置、および入出力データを表示するモニタ（表示手段）４が接続された周知のものである。また、このコンピュータ２は、インターネットを介して送受信を行う通信機能を有している。
【００１７】
そして、上記記憶装置には、予め撮影された対象メンバーの顔画像とその氏名が登録されたデータベース３が構築されるとともに、携帯端末機１から上記安否情報が送信された際に、当該安否情報を解析するためのプログラムが格納されている。
【００１８】
このプログラムは、図１に示すように、モニタ４に、予め登録されたデータベース３内の対象メンバーの氏名（例えば、Ａ〜Ｅ）とその状況（安否情報のメール受信前においては「未確認」）を表示させる機能と、受信した安否情報のメールから画像情報を取り出し、画像認識技術によりデータベース３内の顔画像と照合して該当する顔画像を抽出する機能と、上記データベース３を参照して抽出した顔画像に対応する氏名および位置情報を特定し、モニタ４の対象メンバー（Ａ〜Ｅ）の該当欄に表示させる機能とを有している。
【００１９】
次いで、図１および図２に基づいて、上記構成からなる安否情報確認システムの作用について説明する。
先ず、災害発生時に、特に会社から離れている対象メンバーは、携帯端末機１を操作して、あらかじめインストールされている安否確認専用のアプリケーションを立ち上げる。
【００２０】
そして、上記対象メンバー（図では、Ａ、Ｂ）が、自分の顔写真（または、自分と他の対象メンバーが写っている写真）を撮影する。また、画面に表示されている項目から、画像に写っている対象メンバーの人数を入力し、安否確認用のフラグ（例えば、無事、負傷者あり（軽傷）、負傷あり（要救助））を選択した後に、上記画面に表示される送信ボタンを押す。
【００２１】
これにより、対象メンバーＡ、Ｂの携帯端末機１から、上記撮影画像、上記安否情報および当該携帯端末機１のＧＰＳ機能から取得された位置情報（緯度および経度）が、コンピュータ２に送信されて記憶装置に登録される。
【００２２】
すると、コンピュータ２においては、上記プログラムが起動して送信された画像に撮影されている顔画像を、画像認識技術によって予めデータベース３に登録されている対象メンバーの顔画像と照合する。
【００２３】
そして、上記照合により画像が確認された対象メンバーＡ、Ｂ、Ｄについては、データベース３中に登録されている対応する氏名が抽出されて、図１に示すように、安全が確認されたとして、モニタ４上のリスト中に表示される。
【００２４】
この際に、図１に示すように、送信された画像中に複数の対象メンバーＢ、Ｄが撮影されていた場合には、各々の顔画像に対して上記照合が行われ、各対象メンバーＢ、Ｄの表示欄にどの対象メンバーＤ、Ｂと一緒に写っていたかが表示される。これらに加えて、携帯端末機１のＧＰＳ機能から取得された位置情報（緯度および経度）や、写真撮影時刻（図示を略す。）なども表示される。
【００２５】
このように、上記構成からなる安否確認システムによれば、災害時に、対象メンバーが携帯端末機１によって自分や自分と周囲の対象メンバーを撮影し、通信機能でコンピュータ２に送信することにより、コンピュータ２において送信された画像とデータベース３内の顔画像とを照合して画像認識により一致する顔画像の氏名を抽出することができる。
【００２６】
この結果、対象メンバーは、災害時等の余裕が無い時に煩雑な文字入力等の操作を行う必要が無く、しかもコンピュータ２によって、自動的に、安否確認が行われた対象メンバーＡ、Ｂ、Ｄと、未だ安否確認が行われていない対象メンバーＣ、Ｅをモニタ４に区別して表示させることができるために、対象メンバーの安否状況を迅速に確認することができる。
【００２７】
加えて、携帯端末機１が備えるＧＰＳ機能を利用して、コンピュータ２に撮影場所の位置情報も送信しているために、対象メンバーの存在場所も把握することができ、よって正確な安否情報を得ることができる。
【符号の説明】
【００２８】
１  携帯端末機
２  コンピュータ
３  データベース
４  モニタ（表示手段）
Ａ〜Ｅ  対象メンバー
【図１】
2018022203.tif 000003
【図２】
2018022203.tif 000004
【図３】
2018022203.tif 000005
【図４】
2018022203.tif 000006